(57)【要約】      （修正有）【課題】失禁患者等が着用するのに好適な尿取り袋に関し、着用を容易にし、着用状態での安定性が向上し、男女兼用の尿取り袋を提供する。【解決手段】尿取り袋が透液性の内面シートと、不透液性の外面シートと、これらシート間に吸収性の芯材とを含み、尿取り袋の横方向両側に着用者の脚周りに密着した状態で脚周りを囲む環が形成され、環の周方向に延びる帯状部分の両端部を尿取り袋に一体化させた。【選択図】図２
2008302025.tif 000002
【特許請求の範囲】
【請求項１】
互いに直交する前後方向と横方向と上下方向とを有し、上方に尿を流入させるための開口が形成された袋部を備えた尿取り袋であって、
前記袋部が透液性の内面シートと、不透液性の外面シートと、これら両シート間に介在する吸尿性の芯材とを含み、
前記袋部の前記横方向の両側それぞれに前記尿取り袋の着用者の脚周りに密着した状態で前記脚周りを囲むことが可能な環が形成され、前記環が該環の周方向へ延びる帯片部分の両端部それぞれを前記袋部に一体化させることによって形成されていることを特徴とする前記尿取り袋。
【請求項２】
前記環が前記周方向へ弾性的に伸長可能である請求項１記載の尿取り袋。
【請求項３】
前記環は、少なくとも一方が開閉可能に形成されている請求項１または２記載の尿取り袋。
【請求項４】
前記袋部が、前記前後方向の前方に位置する前方部分と後方に位置する後方部分とを有しており、これら前方部分と後方部分とが前記袋部の前記両側それぞれと前記袋部の下方とにおいて一体になっていて前記開口の下方に前記袋部の底部を形成している請求項１〜３のいずれかに記載の尿取り袋。
【請求項５】
前記底部から前記前方部分の頂部までの寸法が前記底部から前記後方部分の頂部までの寸法よりも大きい請求項４記載の尿取り袋。
【請求項６】
前記帯片部分は、前記両端部のうちの一方の端部が前記前方部分の頂部と一体になり、前記両端部のうちのもう一方の端部が前記後方部分の頂部と一体になっている請求項４または５に記載の尿取り袋。
【請求項７】
前記前方部分の内面側には、前記前方部分の上部において前記前方部分を横断するシート片が延びており、前記シート片が前記横方向へ弾性的に伸長可能なものであって前記横方向へ互いに並行して延びる上縁部と下縁部とを有するとともに前記上下方向へ互いに並行して延びる両側縁部とを有し、かつ、前記シート片が前記横方向へ伸長された状態で前記上縁部と前記両側縁部とが前記前方部分に接合する一方、前記下縁部を含む前記下縁部と前記上縁部との間の部分が前記前方部分に接合していない請求項１〜６のいずれかに記載の尿取り袋。
【発明の詳細な説明】
【技術分野】
【０００１】
この発明は、失禁患者等が着用するのに好適な尿取り袋に関する。
【背景技術】
【０００２】
失禁患者等が着用するものであって尿を流入させることができる袋状部を備えた尿取り袋は、従来公知である。例えば、特開平１１−２９０３６５号公報（特許文献１）に開示された男性用尿取りパッドは、袋状のものであって、ペニスからの脱落を防ぐためのペニスに対する締め付け手段を有している。このパッドは、おむつと併用したときに、おむつの内面に対してずれ止めとして作用する粘着部をパッドの外面に有している。また、特開２００３−１１１７８８号公報（特許文献２）に開示された男性用吸収性物品は、パンツ型の着用部品と、ペニスを挿入するための袋部品とを有する。その着用部品には、内側から外側に向かってペニスを突出させるための開口部が形成されている。袋部品は、開口部から突出したペニスにかぶせた後に、開口部の周縁域において着用部品に取り外し可能に固定する。
【特許文献１】特開平１１−２９０３６５号公報
【特許文献２】特開２００３−１１１７８８号公報
【発明の開示】
【発明が解決しようとする課題】
【０００３】
特開平１１−２９０３６５号公報に開示のパッドは、それを着用するときに、ペニスに対する締め付け手段を使わなければ着用状態が安定しない。したがって、パッド着用後のペニスの状態の変化によって、着用状態も変化するから、安定した着用状態にあると思われていたパッドがペニスから脱落するという場合が生じかねない。パッドとおむつとを併用することによって、パッドの着用状態が安定化することはあり得るが、それにはおむつの着用が不可欠であって、寝たきりの男性の場合には、そのおむつを着用させるのに手間がかかるという問題がある。寝たきりの男性の背中側におむつを当てることには、特に手間がかかる。
【０００４】
また、特開２００３−１１１７８８号公報に開示の男性用吸収性物品は、パンツ型の着用物品の使用が不可欠であるから、寝たきりの男性の場合には、その着用物品を着用させるのに手間がかかるという問題がある。また、着用物品着用後には、着用物品の内側に手を入れて着用物品の開口部からペニスを突出させなければならないという手間を要する。
【０００５】
これらの従来技術に係るものはまた、男性専用のものであって、男女兼用が可能な構造を有するものではない。
【０００６】
このように、ペニスを挿入するための袋状部を備えた従来の尿取り袋には、それを着用することに手間がかかるという問題や、着用状態を安定化させることが難しいという問題があり、また、その尿取り袋は男女兼用とするには適さないものであった。
【０００７】
そこで、この発明は、従来の尿取り袋に対して、その着用が容易となるように改良を施すことを課題の一つにしている。また、尿取り袋の着用状態の安定性が向上するように改良を施すことも課題の一にしている。さらにはまた、男女兼用の尿取り袋を提供することをも課題の一つにしている。
【課題を解決するための手段】
【０００８】
前記課題を解決するために、この発明が対象とするのは、互いに直交する前後方向と横方向と上下方向とを有し、上方に尿を流入させるための開口が形成された袋部を備えた尿取り袋である。
【０００９】
かかる尿取り袋において、この発明が特徴とするところは、以下のとおりである。前記袋部は、透液性の内面シートと、不透液性の外面シートと、これら両シート間に介在する吸尿性の芯材とを含む。前記袋部の前記横方向の両側それぞれには、前記尿取り袋の着用者の脚周りに密着した状態で前記脚周りを囲むことが可能な環が形成され、前記環が該環の周方向へ延びる帯片部分の両端部それぞれを前記袋部に一体化させることによって形成されている。
【００１０】
この発明の好ましい実施形態の一つにおいて、前記環が前記周方向へ弾性的に伸長可能である。
【００１１】
この発明の好ましい実施形態の他の一つにおいて、前記環は、少なくとも一方が開閉可能に形成されている。
【００１２】
この発明の好ましい実施形態の他の一つにおいて、前記袋部が、前記前後方向の前方に位置する前方部分と後方に位置する後方部分とを有しており、これら前方部分と後方部分とが前記袋部の前記両側それぞれと前記袋部の下方とにおいて一体になっていて前記開口の下方に前記袋部の底部を形成している。
【００１３】
この発明の好ましい実施形態の他の一つにおいて、前記底部から前記前方部分の頂部までの寸法が前記底部から前記後方部分の頂部までの寸法よりも大きい。
【００１４】
この発明の好ましい実施形態の他の一つにおいて、前記帯片部分のそれぞれは、前記両端部のうちの一方の端部が前記前方部分の頂部と一体になり、前記両端部のうちのもう一方の端部が前記後方部分の頂部と一体になっている。
【００１５】
この発明の好ましい実施形態のさらに他の一つにおいて、前記前方部分の内面側には、前記前方部分の上部において前記前方部分を横断するシート片が延びており、前記シート片が前記横方向へ弾性的に伸長可能なものであって前記横方向へ互いに並行して延びる上縁部と下縁部とを有するとともに前記上下方向へ互いに並行して延びる両側縁部とを有し、かつ、前記シート片が前記横方向へ伸長された状態で前記上縁部と前記両側縁部とが前記前方部分に接合する一方、前記下縁部を含む前記下縁部と前記上縁部との間の部分が前記前方部分に接合していない。
【発明の効果】
【００１６】
この発明に係る尿取り袋は、袋部の横方向における両側のそれぞれに脚周りを囲むことが可能な環を有するから、その環を脚周りに密着させることによって袋部の位置を着用者に対して固定することができる。それゆえ、寝たきりの男性や女性に対して、尿取り袋を簡単に着用させることができるばかりでなく、車椅子に座っている男性や女性に対して、車椅子から立たせることなく尿取り袋を着用させることもできる。
【００１７】
環が弾性的に伸長可能である場合の尿取り袋では、その環に脚を挿入するだけで環を脚周りに密着させることができる。
【００１８】
環の少なくとも一方が開閉可能に形成されている形態の尿取り袋では、尿取り袋を着用させるときに、環に脚を挿入する必要がない。
【００１９】
袋部が前方部分と後方部分とを有していて、これら両部分が袋部の両側と下方とにおいて一体になっている形態の尿取り袋では、袋部の構造が簡単で、尿取り袋の製造が容易である。
【００２０】
袋部における底部から前方部分の頂部までの寸法が底部から後方部分の頂部までの寸法よりも大きい形態の尿取り袋では、袋部にペニスを挿入すると、前方部分によってペニスの前方部分のほぼ全体を覆うことができると同時に、後方部分の頂部をペニスのつけ根に下方から接触させることによって、着用した尿取り袋を好ましい位置に固定することができる。
【００２１】
環を形成している帯片部分の一方の端部が前方部分の頂部と一体になり、もう一方の端部が後方部分の頂部と一体になっている形態の尿取り袋では、環が上下方向へ広がるものになるので、環を形成している帯片部分を着用者の腰骨に引っ掛けることが容易になる。
【００２２】
前方部分の内面側において、弾性的に伸長可能なシート片が伸長状態で延びている形態の尿取り袋では、前方部分と尿取り袋着用者との間に生じる隙間から袋部の外へ向かって流れる尿をそのシート片によって止めることができる。
【発明を実施するための最良の形態】
【００２３】
添付の図面を参照して、この発明に係る尿取り袋の詳細を説明すると、以下のとおりである。
【００２４】
図１，２は、着用状態にある尿取り袋１を着用者５の斜め前方から見た図と、斜め後方から見た図とであって、互いに直交する前後方向と横方向と上下方向とが双頭矢印Ａ，Ｂ，Ｃで示されている。図には、着用者５として、男性の身体の一部分が仮想線で示されている。尿取り袋１は、袋部２と、横方向Ｂにおいて袋部２の両側それぞれに形成されている一対の環状部３とを有する。袋部２は、ペニス４（図３参照）を前方から覆うことのできる前方被覆部６と、ペニス４を後方から覆うことのできる後方被覆部７とを有する。これら前方被覆部６と後方被覆部７とは、袋部２の底部８において連続しており、袋部２の両側に位置する縁部６ａと７ａとが合掌状に重なり合い接着または溶着により接合している。かような前方被覆部６と後方被覆部７とによって、ペニス４を納めるための空間１６と、その空間１６にペニス４を挿入するための頂部開口１７とが形成されている。着用者５が女性である場合には、前方被覆部６を前方部分と呼び替え、後方被覆部７を後方部分と呼び替えることができ、これら両部分によって形成される頂部開口１７が尿道口と対向するように尿取り袋１を着用させることによって、空間１６に尿を流入させることができる。
【００２５】
環状部３は、帯片部分３１と、頂部開口１７の縁部３４のうちで帯片部分３１における前後両端部３２，３３の間に延びる縁部３４ａ、３４ｂとによって形成されている。帯片部分３１は、環状部３の周り方向へ弾性的に伸長し得るように弾性的な不織布で形成されているもので、前端部３２が前方被覆部６における頂部１２と接着または溶着によって一体になっており、後端部３３が後方被覆部７における頂部１３と接着または溶着によって一体になっている。縁部３４のうちの縁部３４ａは前方被覆部６に含まれる縁部の一部であり、縁部３４ｂは後方被覆部７に含まれる縁部の一部である。
【００２６】
図３は、図１のＩＩＩ−ＩＩＩ線断面図である。ＩＩＩ−ＩＩＩ線は、尿取り袋１の中心線Ｒ−Ｒ（図１，４参照）を通る線であり、尿取り袋１はそのＩＩＩ−ＩＩＩ線に関して対称に作られている。袋部２の前方被覆部６と後方被覆部７とは、透液性の内面シート３６と、不透液性の外面シート３７と、これら両シート３６，３７の間に介在する尿吸収性の芯材３８とを含んでいる。
【００２７】
前方被覆部６の頂部１２では、内面シート３６と外面シート３７とが芯材３８の縁部から延出して重なり合い、ホットメルト接着剤（図示せず）を介して互いに接合している。頂部１２における内面シート３６と外面シート３７との間には幅方向Ｂへ延びる複数の糸状弾性部材３９ａが介在し、これらの弾性部材３９ａが内面シート３６および外面シート３７の少なくとも一方に伸長状態で接合している。
【００２８】
後方被覆部７の頂部１３では、芯材３８の縁部から延出して重なり合い互いに接合している内面シート３６と外面シート３７との間に幅方向Ｂへ延びる一本の帯状弾性部材３９ｂが介在し、その弾性部材３９ｂが内面シート３６および外面シート３７の少なくとも一方に伸長状態で接合している。
【００２９】
袋部２の前後方向Ａにおけるほぼ中央には、前方被覆部６と後方被覆部７との接合部位４１が上下方向Ｃへ延びている。前方被覆部６における頂部１２から底部８までの寸法ＬＦは、後方被覆部７における頂部１３から底部８までの寸法ＬＲよりも大きく、その前方被覆部６は仮想線で示すペニス４を前方から広く覆うことができる。また、後方被覆部７は、ペニス４のつけ根の近傍に下方から接触することによって、尿取り袋１が徒に高く引き上げられることがなく、好ましい位置に固定されるように作用している。
【００３０】
環状部３は、その内側に形成された透孔４０に着用者５の脚４２（図１参照）を挿入することができる。環状部３の一部分を形成している縁部３４ａと縁部３４ｂとは、環状部３の周方向へ弾性的に伸長し得るように、弾性部材を伸長状態で取り付けることができる部分であって、後記する図４では、頂部１３における帯状弾性部材３９ｂを縁部３４ｂにまで延ばす例が示されている。
【００３１】
図４は、図１の尿取り袋１において前方被覆部６と帯片部分３１の前端部３２との接合を外すとともに、袋部２の両側における前方被覆部６と後方被覆部７との接合を外して得られる尿取り袋１ａの平面図であって、尿取り袋１ａの前方被覆部６と後方被覆部７とは前後方向Ａと横方向Ｂとに伸展した状態にあり、かつ部分的に破断した状態にある。図４の袋部２において、内面シート３６と外面シート３７とは、芯材３８の周縁から延出する部分において接着または溶着により互いに接合して、フラップ部分４５を形成している。尿取り袋１ａの股部８では、尿取り袋１ａを組み立てて図１の尿取り袋１を得るときに使用する折曲案内線Ｑ−Ｑが仮想線で示されている。尿取り袋１ａを折曲案内線Ｑ−Ｑに沿って折曲したときに重なり合う前方被覆部６のフラップ部分４５ａと後方被覆部７のフラップ部分４５ｂとは、互いに接合されて図１の接合部位４１となる。前方被覆部６における頂部１２には複数条の糸ゴムが弾性部材３９ａとして使用されている。後方被覆部７における頂部１３には、一本の帯状ゴムが弾性部材３９ｂとして使用されている。帯片部分３１は、前端部３２が前方被覆部６における外面シート３７に対して接着または溶着により接合され、後端部３３が後方被覆部７における外面シート３７に対して接着または溶着により接合される。このように、図４の尿取り袋１ａを折り重ねて所要部位を接合すれば図１の尿取り袋１となるので、尿取り袋１の製造は簡単である。
【００３２】
図１，２，３に示されている尿取り袋１を横臥している男性に着用させるには、それぞれの環状部３が画成する透孔４０に脚４２を挿入させた後に、尿取り袋１をペニス４の近傍にまで引き上げて脚周りを囲む環状部３を脚周りに密着させる。なお、この発明において環状部３が脚周りを囲むというときの尿取り袋１の着用状態には、その環状部３における帯片部分３１を腰骨に引掛けた場合の着用状態も含まれている。このように着用させる尿取り袋１は、従来のパンツ形状のものとは異なっていて臀部を被覆する部分がないから、その男性が仰向けの姿勢にあるときでも、簡単に着用させることができる。また、着用状態にある尿取り袋１を脱がせるときには、尿取り袋１を足もとにまで引き下げてもよいが、環状部３が開環するように帯片部分３１をはさみ等で二つに切り分けてもよい。尿取り袋１を女性に着用させる場合の要領は、男性に着用させる場合の要領とほぼ同じである。ただし、女性の場合には、尿取り袋１を引き上げたときに、前方被覆部６の頂部１２を下腹部に接触させ、後方被覆部７の頂部１３を鼠径部近傍に接触させることが好ましい。尿取り袋１は、このように環状部３を着用者５の脚周りに密着させ、必要ならば帯片部分３１を腰骨に引掛けて着用するものであるから、男女兼用のものとして市場に供給することができる。尿取り袋１はまた、着用者５の尿道口（図示せず）を覆うものであるから、着用した尿取り袋１に重ねておむつを着用した場合には、おむつが便で汚れても、その便によって尿道口等を汚すということがない。
【００３３】
尿取り袋１において、内面シート３６には、透液性の不織布や透液性の織布、複数の透液性開孔を有するプラスチックフィルム等を使用することができる。外面シート３７には、不透液性のプラスチックフィルム、不透液性の不織布、不透液性の織布等を使用することができる。芯材３８には、粉砕パルプや高吸水性ポリマー粒子、これらパルプとポリマー粒子との混合物等を使用することができる。これらの材料によって形成された芯材３８は、その形状を維持するうえにおいて、ティシュペーパ等の液拡散性と透液性とに優れたシート片で被覆してあることが好ましい。帯片部分３１は、弾性的に伸長可能な不織布やプラスチックフィルム等の弾性シート材料によって形成することができる他に、弾性的な伸長性を持たない不織布に対して、糸ゴム等の弾性部材を伸長状態で取り付けることによっても形成することができる。
【００３４】
図５は、この発明の一実施形態を例示する図１と同様な図である。図５の尿取り袋１では、帯片部分３１の前端部３２が袋部２における前方被覆部６の外面シート３７に対して取り付け取り外し可能に作られている。図において、外面シート３７から取り外した前端部３２は仮想線で示されており、その前端部３２の内面には、外面シート３７に対する取り付け手段の一例として、商品名マジックテープで知られるメカニカルファスナのフック部材６１が取り付けられている。図５における外面シート３７は、不透液性プラスチックフィルム３７ａと不織布３７ｂとをラミネートした複合シートで形成されており、不織布３７ｂが尿取り袋１の外側となるように使用されている。その不織布３７ｂは、フック部材６１の取り付け取り外しを繰り返すことができるもので、そのような不織布３７ｂには、例えば捲縮した複合繊維からなるものがある。袋部２の両側に設けられた帯片部分３１の少なくとも一方が環状部３を開閉することのできる尿取り袋１であれば、横臥していたり車椅子に座っていたりする男性または女性に対して、着用させたり脱がせたりすることが至極容易になる。
【００３５】
図６は、この発明の実施形態の一例を示す図２と同様な図である。この発明において、環状部３は、少なくともその一方における帯片部分３１を図６に示すような互いに結び合わせることのできる一対の帯片３１ａ，３１ｂに代えることによって、その一方の環状部３１を開閉可能なものにすることができる。一対の帯片の一方３１ａは前方被覆部６に固定しておき、一対の帯片のもう一方３１ｂは後方被覆部７に固定しておく。尿取り袋１を着用するときには、一方の環状部３に右脚（図示せず）を挿入してから、これら一対の帯片３１ａ，３１ｂを着用者の左脚の脚周りや引掛けるべき腰骨に対して密着するように結び合わせる。一対の帯片３１ａ，３１ｂは、非伸長性のものであることが好ましいが、弾性的な伸長性を有するものにすることもできる。尿取り袋１の両側の環状部３における帯片部分３１は、図６の態様に代えて、帯片部分３１のそれぞれを一対の帯片３１ａ，３１ｂによって形成することもできる。
【００３６】
図７，８もまた、この発明の実施形態の一例を示す図２，３と同様な図である。図７の尿取り袋１では、図２の尿取り袋１の前方被覆部６の上部内面に防漏用シート片６２が取り付けられている。シート片６２はほぼ矩形に形成されていて、上縁部６３と、下縁部６４と、側縁部６６，６７とを有する。シート片６２はまた、横方向Ｂへ弾性的に伸長可能なもので、横方向Ｂへ伸長した状態で上縁部６３と側縁部６６，６７とがホットメルト接着剤（図示せず）を介して前方被覆部６に接合しているが、これら以外の部分、すなわち下縁部６４を含んでいて上縁部６３と下縁部６４との間に位置する部分は、前方被覆部６に対して非接合状態にある。図７，８において、シート片６２は横方向Ｂへ収縮した状態にあり、その収縮に伴って、前方被覆部６は外側に向かって凸となるように湾曲している。前方被覆部６がそのように湾曲することによって、前方被覆部６と後方被覆部７との前後方向Ａにおける離間距離が比較的大きくなり、着用者５が男性である場合には、ペニス４を空間１６へ納めることが容易になる。また、シート片６２はその下縁部６４が仮想線で示すペニス４に上方から接触して、前方被覆部６の内面に沿って流れて空間１６の外へ向かおうとする尿を止める壁となり、袋部２の頂部開口１７からの尿の漏れを防ぐことができる。着用者５が女性である場合には、シート片６２の下縁部６４が下腹部に接触し、下腹部の肌に沿って流れて空間１６の外へ向かおうとする尿の流れを止めることができる。シート片６２は、弾性糸を含む不織布、合成ゴムや熱可塑性エラストマーからなるフィルムによって形成することができる他に、非弾性的な不織布やプラスチックフィルムに糸状弾性部材を幅方向Ｂへ伸長した状態で取り付けることによって形成することもできる。例えば、シート片６２を非伸長性の不織布とその不織布の下縁部に対して伸長状態で取り付けた一条の糸ゴムとで形成することもできる。このように作用するシート片６２は、不透液性のものであることが好ましい。
【００３７】
図示例において、帯片部分３１は、袋部２２とは別体に作られているものであったが、前方被覆部６の頂部１２や後方被覆部７の頂部１３を袋部２の側方へ延ばすことによって帯片部分３１を作ることもできる。環状部３は、その少なくとも一部分が周方向へ弾性的に伸長可能に形成されていることが好ましいが、帯片部分３１が図６に例示の如く一対の帯片３１ａ、３１ｂによって形成されている場合には、環状部３の周方向の全体を非伸長性にしてこの発明を実施することもできる。また、幅方向Ｂにおいて弾性的な伸長性を有する図示例の頂部１２と頂部１３とは、非伸長性の頂部１２と頂部１３とに代えてこの発明を実施することもできる。
【産業上の利用可能性】
【００３８】
この発明によれば、着用することが容易であって、しかも着用後の位置を安定させることが容易な尿取り袋の製造が可能になる。
【図面の簡単な説明】
【００３９】
【図１】尿取り袋を斜め前方から見たときの図。
【図２】尿取り袋を斜め後方から見たときの図。
【図３】図１のＩＩＩ−ＩＩＩ線断面図。
【図４】尿取り袋を分解し、伸展して示す図。
【図５】実施形態の一例を示す図１と同様な図。
【図６】実施形態の一例を示す図２と同様な図。
【図７】実施形態の一例を示す図２と同様な図。
【図８】実施形態の一例を示す図３と同様な図。
【符号の説明】
【００４０】
１    尿取り袋
２    袋部
３    環（環状部）
４    ペニス
６    前方部分（前方被覆部）
７    後方部分（後方被覆部）
８    底部
１２    頂部
１３    頂部
１６    空間
１７    開口
３１    帯片部分（帯片）
３２    前端部
３３    後端部
３６    内面シート
３７    外面シート
３８    芯材
４２    脚
６２    シート片
Ａ    前後方向
Ｂ    横方向
Ｃ    上下方向
ＬＦ    寸法
ＬＲ    寸法
【図１】
2008302025.tif 000003
【図２】
2008302025.tif 000004
【図３】
2008302025.tif 000005
【図４】
2008302025.tif 000006
【図５】
2008302025.tif 000007
【図６】
2008302025.tif 000008
【図７】
2008302025.tif 000009
【図８】
2008302025.tif 000010